(57)【要約】【課題】  建築物のリフォームや解体の作業において、下地材から壁材、カーペット等の建材を容易に、効率よく、確実に剥ぎ取ることが可能であり、しかも下地材を傷付けることもないし、分別する後処理作業も不要にできる。【解決手段】  作業機のアームＡ先端に設ける基体１は前方が開口１Ａした箱状に構成してあり、開口１Ａから突出した状態で基体１に搭載した可動支持体４は油圧シリンダ５によって直線方向に進退可能になっている。可動支持体４は前後が開口した角筒状に構成してあり、前端側にはスクレーパ支持体７が連結ピン６で軸支することにより下側が前後方向に揺動可能になっている。スクレーパ支持体７に設けたスクレーパ９は、直線方向に進出しながら可動支持体４に搭載した加振装置１１によって刃先９Ｃ側が振動するようになっている。【選択図】  図１
2006144378.tif 000002
【特許請求の範囲】
【請求項１】
作業機のアーム先端に着脱可能に設ける基体と、該基体に搭載され、基体から突出して直線方向に進退可能な可動支持体と、前記基体に設けられ、該可動支持体を直線方向に進退させる支持体駆動手段と、前記可動支持体の先端側に軸支され、前後方向に揺動可能なスクレーパ支持体と、該スクレーパ支持体に設けたスクレパーと、前記可動支持体に搭載され、前記スクレーパ支持体を介して該スクレーパを前後方向に振動させる加振手段とから構成していなる建材剥ぎ取り用スクレーパ装置。
【請求項２】
前記スクレーパは、前記スクレーパ支持体に対して上、下を逆転して取着可能であることを特徴とする請求項１記載の建材剥ぎ取り用スクレーパ装置。
【発明の詳細な説明】
【技術分野】
【０００１】
本発明は、建築物のリフォームや解体の作業において、壁材、カーペット、フローリング、タイル、漆喰等の建材を下地材から確実に剥すのに用いて好適な建材剥ぎ取り用スクレーパ装置に関する。
【背景技術】
【０００２】
建築物をリフォームし或は解体する場合、建材を下地材（母材）から剥す必要があり、従来は作業員の手作業で行っていたが、特許文献１に示す床材剥離装置が提案されている。この床材剥離装置５１は油圧によりスクレーパ５１Ａを前後方向に振動させる構成からなるもので、剥ぎ取り作業には大きな力を必要とすることから、油圧ショベル等の作業機５２のアーム５２Ａの先端に設けて使用するようになっている（図３参照）。
【特許文献１】特開２００４−１５６３７１号公報
【発明の開示】
【発明が解決しようとする課題】
【０００３】
ところで、産業廃棄物の分別処理が法律により義務付けられるのに伴い、建築物をリフォームし或は解体する場合に排出される廃棄処理材を素材毎に厳密に分別する必要が生じた。しかし、従来の床材剥離装置はスクレーパ５１Ａが振動するのみで直線方向の移動ができないため、作業機５２のアーム５２Ａ先端に設けられて作動する場合にスクレーパが壁面等の剥取り面５３に対して円軌道を描く結果、建材と共に下地材を削ってしまうという欠点がある。このため、剥した後に作業員が手作業で建材から下地材を剥ぎ取って分別する作業を行わなければならず、作業効率が悪く、人権費も嵩むという欠点がある。更に、従来の床材剥離装置のスクレーパを水平に移動させるためには、作業機５２のオペレーターに熟練した技術が要求されるし、作業効率を高めることができないという欠点がある。
【０００４】
本発明は上述した従来技術の欠点に鑑みなされたもので、建築物のリフォームや解体の作業において、下地材から壁材、カーペット等の建材を容易に、効率よく、確実に剥すことが可能であり、従って下地材と建材を分離するための後処理の作業も不要にできるので諸費用を節減することのできる建材剥ぎ取り用スクレーパ装置を提供することを目的とする。
【課題を解決するための手段】
【０００５】
上述した課題を解決するために構成された本発明の手段は、作業機のアーム先端に着脱可能に設ける基体と、該基体に搭載され、基体から突出して直線方向に進退可能な可動支持体と、前記基体に設けられ、該可動支持体を直線方向に進退させる支持体駆動手段と、前記可動支持体の先端側に軸支され、前後方向に揺動可能なスクレーパ支持体と、該スクレーパ支持体に設けたスクレーパと、前記可動支持体に搭載され、前記スクレーパ支持体を介して該スクレーパを前後方向に振動させる加振手段とからなる。
【０００６】
そして、前記スクレーパは、前記スクレーパ支持体に対して上、下を逆転して取着可能にするとよい。
【発明の効果】
【０００７】
本発明は以上詳述した如く構成したから、下記の諸効果を奏する。
（１）作業機のアーム先端が円軌道を描くのに拘らず、スクレーパは直線方向に進退することができるから、建材を下地材から容易に、確実にしかも効率よく剥すことができる。従って、建築物をリフォームする場合のように、下地材を傷付けたくない作業に用いても好適である。
（２）下地材から建材のみを確実に剥すことができるから、剥離後に下地材と建材を分離する後処理の作業を不要にできる。
（３）スクレーパは、スクレーパ支持体に対して上、下を逆転して取着できるから、スクレーパの刃先が作業により摩耗したり破損した場合、現場で上、下を変換して使用することができる。
【発明を実施するための最良の形態】
【０００８】
以下、本発明の実施の形態を図面に基づき詳述する。図１及び図２において、１は油圧ショベル等の作業機のアームＡ先端にピン結合により着脱可能に設ける基体を示す。２は該基体１を構成する框体部で、該框体部２は鋼板からなる底板２Ａと、一対の側板２Ｂ、２Ｂと、後板２Ｃと、天板２Ｄと、内部に立設した仕切板２Ｅと、該仕切板２Ｅに突設したブラケット２Ｆで構成することにより、基体１は前側が開口１Ａし、後部内は収容部１Ｂになった箱状をなしており、天板２Ｄの上面にはアームＡと連結するための一対の取付ブラケット３、３が突設してある。
【０００９】
４は前記開口１Ａから突出した状態で基体１に前後方向に慴動可能に挿設した可動支持体を示し、該可動支持体４は框体部２の底板２Ａに慴接する可動底板４Ａと、一対の可動側板４Ｂ、４Ｂと、可動天板４Ｃとから前、後側が開口した角筒状に構成してあり、可動天板４Ｃの下面前端には支持ブラケット４Ｄが設けてある。
【００１０】
５は前記可動支持体４を矢示イ、ロ方向の直線方向に進退させるための支持体駆動手段としての油圧シリンダで、該油圧シリンダ５はシリンダ５Ａの後端を基体１の仕切板２Ｅにブラケット２Ｆを介して軸支してあり、ピストンロッド５Ｂは先端が前記支持ブラケット４Ｄに連結ピン６によって連結してある。そして、油圧ショベルから供給する作動油で油圧シリンダ５を作動することにより、可動支持体４は基体２から突出した状態で直線方向に進退するようになっている。
【００１１】
７は可動支持体４の前方に位置して連結ピン６により支持ブラケット４Ｄに軸支され、下端側が前後方向に揺動可能なスクレーパ支持体で、該スクレーパ支持体７は横長の鋼板からなり、後面の中央上側には支持ブラケット４Ｄに軸支するためのブラケット７Ａが突設してある。そして、 スクレーパ支持体７の前面には下側８Ａが前方に湾曲し、長手方向に離間して一対のボルト穴を穿設した取付板８が固着してある。なお、スクレーパ支持体７と取付板８は一体に形成してもよい。
【００１２】
９はボルト・ナット１０、１０により前記取付板８に着脱可能に設けられ、壁材等の建材を下地材から剥すスクレーパを示す。該スクレーパ９は横長の硬鋼板からなり、前面９Ａが凹状に、後面９Ｂが凸状に湾曲し、前方に突出する下縁側と上縁側を刃先９Ｃ、９Ｄに形成したものからなっている。
【００１３】
１１は前記スクレーパ９を前後方向に振動させるために可動支持体４に搭載した加振装置で、該加振装置１１はケーシング内に設けた油圧モータによりウエイトを回転して振動を起こす公知の加振機１１Ａと、該加振機１１Ａから突出し、先端側が前記取付板８の後面に固着したボス１１Ｂに連結した伝達軸１１Ｃとから構成してある。そして、加振機１１Ａを作動して伝達軸１１Ｃにより振動をスクレーパ９に伝えることにより、スクレーパ９は連結ピン６を回動中心にして角度Ｂの範囲で振動するようになっている。なお、油圧シリンダとコントロールバルブによりピストンを往復動させる打撃機構によりスクレーパ９を進退させる構成にしてもよい。
【００１４】
本実施の形態による建材剥ぎ取り用スクレーパ装置は上述の構成からなるもので、作業機のアームＡ先端に取り付けて使用する。作業者はアームＡを操作してスクレーパ９の刃先９Ｃを剥ぎ取る建材の端に当て、油圧シリンダ５を駆動して可動支持体４を基体１から進出させることにより、スクレーパ９は下地材の表面に沿って直線方向に進出する。これによりスクレーパ９は、下地材を傷めることなく建材のみを確実に剥すことができる。また、加振装置１１によってスクレーパ９を前後に振動させることにより、下地材に強固に付着している建材でも確実に、かつ効率よく剥すことができる。
そして、可動支持体４の進出量だけ建材を剥ぎ取ったら、アームＡを作動して基体１を前進させることにより、建材を順次剥すことができる。
【００１５】
なお、本実施の形態では支持体駆動手段として油圧シリンダ５を用い、油圧モータを有する加振装置１１を用いたが、空気圧を駆動源とする構成にしてもよい。
【００１６】
また、基体１に対して一対の取付ブラケット３、３を水平方向に回動可能に設け、フクレーパ９を任意の方向に向けることができるように構成してもよい。このようにすることにより、スクレーパ９を作業条件に最適の向きに設定できるから作業性を高めることができる。
【図面の簡単な説明】
【００１７】
【図１】図１及び図２は本発明の実施の形態に係り、図１は建材剥ぎ取り用スクレーパ装置の全体構成を一部を破断にして示す斜視図である。
【図２】建材剥ぎ取り用スクレーパ装置の部分断面図である。
【図３】従来技術の建材剥ぎ取り装置の作動を示す説明図である。
【符号の説明】
【００１８】
１        基体
４        可動支持体
５        油圧シリンダ（支持体駆動手段）
７        スクレーパ支持体
９        スクレーパ
１１      加振装置（加振手段）
【図１】
2006144378.tif 000003
【図２】
2006144378.tif 000004
【図３】
2006144378.tif 000005